(57)【特許請求の範囲】
【請求項１】
透明上半部（１）と不透明下半部（２）とから形成され、
上記不透明下半部（２）は、断熱用真空室（３）を形成する有底状内外二重金属壁構造体（Ｍ）から成り、
上記透明上半部（１）の下部外周面（11）に雄ネジ（12）を一体形成し、さらに、上記不透明下半部（２）の上部内周面（21）に雌ネジ（22）を一体形成し、
上記雄ネジ（12）と雌ネジ（22）の螺着にて、上記透明上半部（１）と不透明下半部（２）とを、分解組立自在とすると共に、シール材（Ｓ）を介設して密封状に組立てられ、
上記透明上半部（１）と不透明下半部（２）の組立状態で、内周面及び外周面は、各々、連続面状であり、
しかも、上記透明上半部（１）の下部外周面（11）において上記雄ネジ（12）よりも下方位置に凹周溝（18）を形成し、さらに、上記不透明下半部（２）の上部内周面（21）において上記雌ネジ（22）よりも下方位置に段付面部（23）を形成し、
上記シール材（Ｓ）は横断面形状が、略Ｌ字型であって、上記凹周溝（18）に嵌着される内突条（31）を上端内周面に有し、かつ、上記不透明下半部（２）の上記段付面部（23）と、上記透明上半部（１）の最下端面部（15）によって、挾圧される水平状下辺部（32）とを、有することを特徴とする飲料グラス。
【請求項２】
透明上半部（１）と不透明下半部（２）と透明ボトム（６）とから形成され、
上記不透明下半部（２）は断熱用真空室（３）を形成する有底状内外二重金属壁構造体（Ｍ）から成り、
上記不透明下半部（２）の底壁面（５）に、上記透明ボトム（６）を固着して構成され、
上記透明上半部（１）の下部外周面（11）に雄ネジ（12）を一体形成し、さらに、上記不透明下半部（２）の上部内周面（21）に雌ネジ（22）を一体形成し、
上記雄ネジ（12）と雌ネジ（22）の螺着にて、上記透明上半部（１）と不透明下半部（２）とを、分解組立自在とすると共に、シール材（Ｓ）を介設して密封状に組立てられ、
上記透明上半部（１）と不透明下半部（２）の組立状態で、内周面及び外周面は、各々、連続面状であり、
しかも、上記透明上半部（１）の下部外周面（11）において上記雄ネジ（12）よりも下方位置に凹周溝（18）を形成し、さらに、上記不透明下半部（２）の上部内周面（21）において上記雌ネジ（22）よりも下方位置に段付面部（23）を形成し、
上記シール材（Ｓ）は横断面形状が、略Ｌ字型であって、上記凹周溝（18）に嵌着される内突条（31）を上端内周面に有し、かつ、上記不透明下半部（２）の上記段付面部（23）と、上記透明上半部（１）の最下端面部（15）によって、挾圧される水平状下辺部（32）とを、有することを特徴とする飲料グラス。
【発明の詳細な説明】
【技術分野】
【０００１】
本発明は、飲料グラスに関する。
【背景技術】
【０００２】
従来、シャンパングラス，ロックグラス，ワイングラス，ハイボールグラス，ビアーグラス等のアルコール飲料用グラスは、ガラス製の透明のものが広く用いられている。
また、保冷性（断熱性）を得るために、グラス全体を、内外二重金属壁構造の真空室を有する金属製のグラスも公知である。
全体金属製グラスは、外観形状を、各アルコールに対応した美しい形状にすることはできるけれども、例えば、シャンパングラスとしては、注ぎ込んだシャンパンの泡を目で見て楽しむことができない等の欠点があり、残量を確認しがたいという欠点もあった。
【０００３】
従来、２層構造のコップとして、氷を収納した第２のコップを、主たる第１のコップの底部に取付けたものも提案されている（特許文献１参照）。
【先行技術文献】
【特許文献】
【０００４】
【特許文献１】特開平３−１８７８４４号公報
【発明の概要】
【発明が解決しようとする課題】
【０００５】
特許文献１に記載の多層コップは、雰囲気を大切とするアルコール飲料用グラスとしては、全く適さない、という欠点がある。即ち、外観上、凹凸が目立ったり、氷を、収納した第２のコップが目障りとなって雰囲気を壊すこととなる。
【０００６】
そこで、本発明は、特にシャンパンやワインやビール等のアルコール飲料用のグラスとして、アルコールを飲む際の雰囲気を（壊すことなく、逆に）高めて、泡や色を目視して、楽しむことができ、かつ、保冷効果も十分に発揮できる飲料グラスを提供することを、目的とする。
【課題を解決するための手段】
【０００７】
そこで、本発明は、透明上半部と不透明下半部とから形成され、上記不透明下半部は、断熱用真空室を形成する有底状内外二重金属壁構造体から成り、上記透明上半部の下部外周面に雄ネジを一体形成し、さらに、上記不透明下半部の上部内周面に雌ネジを一体形成し、上記雄ネジと雌ネジの螺着にて、上記透明上半部と不透明下半部とを、分解組立自在とすると共に、シール材を介設して密封状に組立てられ、上記透明上半部と不透明下半部の組立状態で、内周面及び外周面は、各々、連続面状であり、しかも、上記透明上半部の下部外周面において上記雄ネジよりも下方位置に凹周溝を形成し、さらに、上記不透明下半部の上部内周面において上記雌ネジよりも下方位置に段付面部を形成し、上記シール材は横断面形状が、略Ｌ字型であって、上記凹周溝に嵌着される内突条を上端内周面に有し、かつ、上記不透明下半部の上記段付面部と、上記透明上半部の最下端面部によって、挾圧される水平状下辺部とを、有する。
また、本発明は、透明上半部と不透明下半部と透明ボトムとから形成され、上記不透明下半部は断熱用真空室を形成する有底状内外二重金属壁構造体から成り、上記不透明下半部の底壁面に、上記透明ボトムを固着して構成され、上記透明上半部の下部外周面に雄ネジを一体形成し、さらに、上記不透明下半部の上部内周面に雌ネジを一体形成し、上記雄ネジと雌ネジの螺着にて、上記透明上半部と不透明下半部とを、分解組立自在とすると共に、シール材を介設して密封状に組立てられ、上記透明上半部と不透明下半部の組立状態で、内周面及び外周面は、各々、連続面状であり、しかも、上記透明上半部の下部外周面において上記雄ネジよりも下方位置に凹周溝を形成し、さらに、上記不透明下半部の上部内周面において上記雌ネジよりも下方位置に段付面部を形成し、上記シール材は横断面形状が、略Ｌ字型であって、上記凹周溝に嵌着される内突条を上端内周面に有し、かつ、上記不透明下半部の上記段付面部と、上記透明上半部の最下端面部によって、挾圧される水平状下辺部とを、有する。
【発明の効果】
【０００８】
本発明によれば、アルコール飲料用としての使用に好適であり、シャンパン等の泡を目で楽しみつつ飲むことができる。さらに、注ぐ際に飲料の量を確認し易いと共に、保冷性にも優れて、かつ、グラス全体としての高級感も発揮する。
また、分解した際に、不意にシール材が分離して紛失することがない。さらに、下辺部の弾性圧縮によって、密封性は長期に渡って安定して優れる。かつ、再組立作業においては、自動的に安定姿勢を維持して、再度、優れた密封性を発揮する。さらに、内周面及び外周面が、各々、連続面状であるので、グラスとしての高級感を一層高め得る。
【図面の簡単な説明】
【０００９】
【図１】本発明の第１の実施形態を示す正面図である。
【図２】縦断面図である。
【図３】第２の実施形態を示す正面図である。
【図４】縦断面図である。
【図５】図２又は図４のＹ部断面図である。
【図６】シール材の一実施例の拡大断面図である。
【図７】シール材の変形例を示す拡大断面図である。
【図８】不透明下半部の底壁面に透明ボトムを固着する他の実施例を示した要部断面図である。
【図９】不透明下半部の底壁面に透明ボトムを固着する別の実施例を示した要部断面図である。
【図１０】図９に用いられる透明ボトムを示す断面図である。
【発明を実施するための形態】
【００１０】
以下、図示の実施の形態に基づき本発明を詳説する。
図１と図２に示した第１の実施の形態に於て、飲料グラスＧとしてシャンパングラスの場合を示す。１は透明上半部であり、２は不透明下半部である。不透明下半部２は、断熱用真空室３を形成する有底状内外二重金属壁構造体Ｍから成る。
【００１１】
不透明下半部２は、いわゆる魔法瓶構造であり、材質はステンレス鋼から成り、薄肉材の塑性加工にて構成されるが、特に、外周面４は赤や緑や青や黄等の有彩色としたり、黒や白等の無彩色とするのが好ましい。
【００１２】
次に、図３と図４に示した第２の実施の形態に於ても、同一符号は図１，図２と同様である。
図３，図４に於て、不透明下半部２の底壁面５に、透明ボトム６を固着している点が異なっている。
【００１３】
図５は、図２，図４のＹ部の拡大断面図であるが、この図５に示すように、透明上半部１の下部外周面11に雄ネジ12を一体形成する。具体的には、透明上半部１の最下端面部15から所定上下寸法範囲Ｈ1 に於て、（段付部13を介して、）外周面側が肉厚除去された切欠部14を形成し、かつ、内周面16は前記上下寸法範囲Ｈ1 に略一致して同一内径に形成し、内径寄りに肉薄円筒部17が形成される。
【００１４】
この肉薄円筒部17の外周面11に、上記雄ネジ12が形成される。
そして、不透明下半部２の上部内周面21に、雌ネジ22を一体形成する。
上記不透明下半部２の最上端面部25は、透明上半部１の段付部13に当接して、結合されるが、この最上端面部25近傍の外径寸法と、段付部13の外径寸法とは、相等しく設定し、グラス外面から見て、図１，図３に示す如く、一本線のみが見えて、外周面は、連続状円周面となる。
【００１５】
このように、雄ネジ12と雌ネジ22の螺着にて、上半部１と下半部２とを、分解組立自在として、結合して、飲料コップとして、外周面は、連続面状になる。なお、上記ネジ12，22を反時計廻りに回転すると締まるようにするのが望ましい。つまり、左ネジとする。このような逆ネジとすれば、本グラスを使い慣れた人が、意識して分解しようとした場合以外は、分解が難しく、不用意な分解による破損事故等を予防できる。
【００１６】
しかも、図５に示す如く、シール材Ｓを介して、密封状に結合される（組立てられる）。
詳しくは、図５のように、透明上半部１の下部（下端）外周面11において、雄ネジ12よりも下方位置に凹周溝18を（略半円形状に）形成しておく。また、不透明下半部２の上部内周面21において、雌ネジ22よりも下方位置に段付面部23を形成する。
【００１７】
シール材Ｓは、横断面形状が、（図５と図６に示すように、）略Ｌ字型であって、凹周溝18に嵌着される（横断面略半円形状の）内突条31を、上端内周面に有している。
しかも、シール材Ｓは、横断面略Ｌ字型であるため、内方突出状（水平状）の下辺部32を有し、この下辺部32は、不透明下半部２の段付面部23と、透明上半部１の最下端面部15によって、挾圧（保持）される（図５参照）。
【００１８】
図６に於て、横断面略Ｌ字型のシール材Ｓの自由状態での内突条31の内径寸法Ｄ31は、図５に示す凹周溝18の溝奥底の内径寸法よりも、僅かに小さく設定する。また、シール材Ｓの自由状態での縦壁部33の内径寸法Ｄ33は、図５に示した、肉薄円筒部17の外周面最下端部よりも、僅かに小さく設定し、雄ネジ12と雌ネジ22の螺合前状態下で、シール材Ｓが不意に離脱しないようにする。
さらに、シール材Ｓの下辺部32の内径寸法Ｄ32は、図５に示した挾圧状態下において、上半部１の内周面16、及び、下半部２の内周面26の内径寸法に略等しく（−０．５ｍｍ〜＋０．５ｍｍの範囲に）設定する。
【００１９】
即ち、図２，図４及び図５に示したように、シール材Ｓを挾圧保持した組立（結合）状態では、透明上半部１と不透明下半部２及びシール材Ｓの内周面16，26，32Ａは、連続面状となる。
つまり、グラス全体として、内周面が連続面状となり、美感上も内周面が一体連続面に見えて高級感を与えることができる。
【００２０】
さらに、透明上半部１と不透明下半部２との継ぎ目35は、図１〜図５でも明らかな如く、グラス全体の外観を損なわない一本の細い線が表われるのみであり、連続面状に見えて高級感を与えることができる。
なお、図２，図４に示すように、不透明下半部２は、内壁部と外壁部とを、最上縁を溶接にて一体化し、密封状の真空室３を形成している。また、円形板状の底壁面５の中心部には、真空引き孔部が残留しているが、この孔部は、溶接等の栓８にて密封状に閉じられている。
【００２１】
ここで、各構成材の材質につき、説明すれば、透明上半部１は、透明トライタン（飽和ポリエステル樹脂）が割れ難く透明感があって、好ましい。また、不透明下半部２はステンレス鋼とする。また、シール材Ｓはシリコンゴムが好ましい。
また、透明ボトム６の材質としては、透明アクリル樹脂、透明ＡＢＳ樹脂、あるいは、透明トライタン（飽和ポリエステル樹脂）が望ましいといえる。
【００２２】
次に、シール材Ｓの横断面形状としては、図７（Ａ）に示すように、閉円環状小突条部36を下辺部32の下面に形成したり、図７（Ｂ）に示すように、閉円環状凹溝部37を形成し、又は、図７（Ｃ）のように複数の閉円環状小突条部36を形成して、図５に示す組立状態下で、シール材Ｓと段付面部23との間の密封性能を高めて、確実に飲みものの外部漏洩を防止するのも、望ましい。
【００２３】
ところで、図３，図４に示した第２の実施形態に於て、透明ボトム６を、不透明下半部２の底壁面５に固着するには、接着剤や溶着剤が使用できる場合もあるが、作業性の改善、底面から見た外観の美感向上のために、以下のようにするのが望ましい。
【００２４】
即ち、図８に示すように、透明両面粘着テープ（シート）９をもって粘着一体化する。
また、図10と図９に示したように、透明ボトム６の上面６Ａに黒色等の不透明層部７を２色成型にて一体に成形する。
不透明下半部２の底壁面５の外周端縁部に沿って、低突隆部27が下方突出状として形成され、その低突隆部27の（上下）高さ寸法Ｈ27から、両面粘着テープ（シート）９の厚さ寸法Ｔ7 を差引いた寸法となるように、不透明層部７の高さ寸法Ｈ7 を設定する。
【００２５】
これによって、図９に示したように、低突隆部27にて包囲形成された浅い凹所28に両面粘着テープ９、及び、不透明層部７が侵入状態として、透明ボトム６が不透明下半部２の底壁部５に固着される。
【００２６】
これによって、両面粘着テープ９が（下方から見ても）見えず、美感上も良好である。なお、プライマー（接着力強化剤）を両面粘着テープ９に付着することで接着力の強化を図る場合においては、プライマーによる白化が発生しても、その白化を隠すことができて、美感上も好ましい。
【００２７】
本発明は、シャンパン用とした場合、美しい細かな泡を透明上半部１を通して、じっくり楽しみながら、シャンパンを飲むことができ、かつ、残量も斜め上方から確認することも可能であって、十分に味わい得るという利点がある。
なお、本発明は、図示のシャンパングラスに限られず、ロックグラス，ワイングラス，ハイボールグラス，ビアーグラス等に設計変更自由である。
【００２８】
本発明は、以上詳述したように、透明上半部１と不透明下半部２とから形成され；上記不透明下半部２は、断熱用真空室３を形成する有底状内外二重金属壁構造体Ｍから成る構成であるので、アルコール飲料の泡や色等を目で見て楽しく飲むことができ、かつ、残量も上方斜めから目で確認できる。しかも、下半部２が断熱用真空室３を有するので、保冷機能を発揮して冷やされたアルコール飲料を、ゆっくりと味わうこともできる。
【００２９】
また、透明上半部１と不透明下半部２と透明ボトム６とから形成され；上記不透明下半部２は断熱用真空室３を形成する有底状内外二重金属壁構造体Ｍから成り；上記不透明下半部２の底壁面５に、上記透明ボトム６を固着して構成されているので、アルコール飲料の泡や色等を目で見て楽しく飲むことができ、かつ、残量も上方斜めから目で確認できる。しかも、下半部２が断熱用真空室３を有するので、保冷機能を発揮して冷やされたアルコール飲料を、ゆっくりと味わうこともできる。さらに、上半部１とボトム６が上下連続一体ものの如く感じられて、高級感をアルコール等を味わう人に与えて、飲むことが、一層、楽しくなる。
【００３０】
また、上記透明上半部１の下部外周面11に雄ネジ12を一体形成し、さらに、上記不透明下半部２の上部内周面21に雌ネジ22を一体形成し；上記雄ネジ12と雌ネジ22の螺着にて、上記透明上半部１と不透明下半部２とを、分解組立自在とすると共に、シール材Ｓを介設して密封状に組立てられ；上記透明上半部１と不透明下半部２の組立状態で、内周面及び外周面は、各々、連続面状であるので、グラスとしての高級感を維持でき、アルコール飲料の泡と色等を目で楽しみつつ飲むことができると共に、冷たいままで美味しく味わい得る。
【００３１】
また、上記透明上半部１の下部外周面11において上記雄ネジ12よりも下方位置に凹周溝18を形成し、さらに、上記不透明下半部２の上部内周面21において上記雌ネジ22よりも下方位置に段付面部23を形成し；上記シール材Ｓは横断面形状が、略Ｌ字型であって、上記凹周溝18に嵌着される内突条31を上端内周面に有し、かつ、上記不透明下半部２の上記段付面部23と、上記透明上半部１の最下端面部15によって、挾圧される水平状下辺部32とを、有するので、分解した際に、不意にシール材Ｓが分離して紛失することがない。さらに、下辺部32の弾性圧縮によって、密封性は長期に渡って安定して優れる。かつ、再組立作業においては、自動的に安定姿勢を維持して、再度、優れた密封性を発揮する。
【符号の説明】
【００３２】
１  透明上半部
２  不透明下半部
３  真空室
５  底壁面
６  透明ボトム
11  下部外周面
12  雄ネジ
15  最下端面部
18  凹周溝
21  上部内周面
22  雌ネジ
23  段付面部
31  内突条
32  下辺部
Ｍ  内外二重金属壁構造体
Ｓ  シール材
【要約】
【課題】保冷性を有し、かつ、シャンパン等の泡や色を、楽しむことが十分できるグラスを提供する。
【解決手段】透明上半部１と不透明下半部２とから、連続面状に、連結して構成され、しかも、不透明下半部２は、断熱用真空室３を形成する内外二重金属壁構造体Ｍから成る。
【選択図】図２【図１】
0006719139.tif 000002
【図２】
0006719139.tif 000003
【図３】
0006719139.tif 000004
【図４】
0006719139.tif 000005
【図５】
0006719139.tif 000006
【図６】
0006719139.tif 000007
【図７】
0006719139.tif 000008
【図８】
0006719139.tif 000009
【図９】
0006719139.tif 000010
【図１０】
0006719139.tif 000011